(57)【要約】【課題】飲料のために広く一般に使用されている容器に適用することができ、安価に製作することができ、そして更に過剰な力を必要とすることなく比較的容易に補助物質を容器に収容されている内容物に混入することができる、補助物質を収容した補助部材を含む容器蓋を提供する。【解決手段】容器蓋（２）は、容器の口頸部（９８）に装着される蓋本体（４）と、蓋本体に装着される中間部材（６）と、中間部材に装着される外蓋（８）と、容器内に充填すべき補助物質を収容した補助容器（１０）とを具備する。中間部材は、破断可能な橋絡部（７４）を介して筒状壁（５６）の内周面に接続され且つ筒状壁内に位置せしめられている切断部材（６８）を含んでいる。【選択図】        図１
2004299760.tif 000002
【特許請求の範囲】
【請求項１】
容器の口頸部に装着される蓋本体と、該蓋本体に装着される中間部材と、該中間部材に装着される外蓋と、容器内に充填すべき補助物質を収容した補助容器とを具備し、
該蓋本体は天面壁と該天面壁の周縁から垂下するスカート壁とを含み、該天面壁には破断可能ラインが形成されており、
該中間部材は該蓋本体の該天面壁を越えて上方に延びる筒状壁と、破断可能な橋絡部を介して該筒状壁の内周面に接続され且つ該筒状壁内に位置せしめられている切断部材とを含み、
該外蓋は上面壁と該上面壁の周縁から垂下する筒状垂下壁と該上面壁の内面から垂下する垂下筒とを含み、該垂下壁の下部内周面を該中間部材の該筒状壁の外周面に被嵌することによって該外蓋が該中間部材に装着され、該垂下壁には周方向に延びる周方向破断可能ラインが形成されており、
該補助容器は該外蓋の該上面壁と該垂下筒とによって規定される空間内に収容され、下面の少なくとも一部は破断可能シール部材によって閉じられており、
該外蓋の該垂下壁に形成されている該周方向破断可能ラインを破断せしめて該垂下壁の該周方向破断可能ラインよりも下方の部分を除去すると、該中間部材に対して該外蓋を下降せしめることが許容され、
該中間部材に対して該外蓋を下降せしめると、該切断部材の上端が該補助部材の該破断可能シール部材に作用することによって該破断可能シール部材が破断され、
該中間部材に対して更に該外蓋を下降せしめると、該外蓋の該垂下筒が該中間部材に作用することによって該橋絡部が破断せしめられ、次いで該外蓋の下降に付随して該切断部材も下降せしめられ、該切断部材の下端が該蓋本体の該天面壁に形成されている該破断可能ラインに作用することによって該破断可能ラインが破断される、
ことを特徴とする容器蓋。
【請求項２】
該中間部材の該筒状壁の外周面には上方を向いた外側環状肩面が形成されており、該外蓋の該垂下壁の下端が該外側環状肩面に当接せしめられている、請求項１記載の容器蓋。
【請求項３】
該中間部材の該筒状壁の内周面には下方を向いた内側環状肩面が形成されており、該内側環状肩面が該蓋本体の該天面壁の上面周縁部に当接せしめられている、請求項１又は２記載の容器蓋。
【請求項４】
該中間部材の該筒状壁は該蓋本体の該スカート壁の外周面に沿って延びる下部を有し、該下部の内周面には環状係合突条又は溝が形成されており、該スカート壁の外周面には該環状係合突条が係合せしめられる環状係合溝又は突条が形成されている、請求項１から３までのいずれかに記載の容器蓋。
【請求項５】
該外蓋の該垂下筒の内周面には拘束突条が形成されており、該補助容器は該拘束突条を弾性的に乗り越えて該拘束突条よりも上方の空間に収容される、請求項１から４までのいずれかに記載の容器蓋。
【請求項６】
該中間部材の該筒状壁の内周面上端部には係止突条が形成されており、該外蓋の該垂下筒の外周面下端部にも係止突条が形成されており、該外蓋の該係止突条は該中間部材の該係止突条を弾性的に乗り越えてその下方に位置せしめられている、請求項１から５までのいずれかに記載の容器蓋。
【請求項７】
該切断部材は軸線方向に延びる円筒形状切断部を有し、該切断部の上端及び下端は傾斜せしめられている、請求項１から６までのいずれかに記載の容器蓋。
【請求項８】
該切断部材は該橋絡部を介して該筒状壁の内周面に接続された環状部を有し、該切断部は該環状部内に配置されて該切断部と該環状部との間を放射状に延びる複数個の接続部によって該環状部に接続されている、請求項７記載の容器蓋。
【請求項９】
該橋絡部は周方向に等間隔をおいて複数個配設されている、請求項８記載の容器蓋。
【請求項１０】
該中間部材の該筒状壁の外周面と該外蓋の該垂下壁の内周面とには協働して該中間部材に対して該外蓋が回転するのを阻止する回り止め手段が配設されている、請求項１から９までのいずれかに記載の容器蓋。
【発明の詳細な説明】
【０００１】
【発明の属する技術分野】
本発明は、容器内に充填すべき補助物質を収容した補助容器を含み、容器内に収容されている内容物を消費する際には補助容器内に収容されている補助物質を容器内に充填して容器内の内容物に混入することができる形態の容器蓋に関する。
【０００２】
【従来の技術】
容器内に収容された内容物、例えばコーヒ、とは別個に容器蓋に補助物質、例えばミルク、を収容しておき、容器の内容物を消費する際に容器蓋に収容されている補助物質を混入するようになせば、容器の内容物に予め補助物質を混入しておく場合と比較して、優れた香り、風味等を得ることができる。
【０００３】
下記特許文献１乃至３には、主たる内容物と補助物質とを別個に収容しておいて、消費に際して主たる内容物に補助物質を混入することができる形態の、容器と蓋との組み合わせが開示されている。
【０００４】
【特許文献１】
実用新案登録第２５１８３２５号公報
【特許文献２】
実公平３−２２１３１号公報
【特許文献３】
実公昭５７−４３７８５号公報
【０００５】
【発明が解決しようとする課題】
然るに、上記特許文献１乃至３に開示された組み合わせには、特に容器に収容されている内容物がコーヒ、紅茶、日本茶等の飲料である場合に、次のとおりの問題がある。第一に、容器自体を独特な形態にせしめることが必要であり、飲料のために広く一般に使用されている、ポリエチレンテレフタレートの如き合成樹脂或いはガラスから形成された容器を利用することができない。第二に、容器の構成が相当複雑であり、製作コストが高価になる。第三に、主たる内容物に補助物質を混入するために必要な操作が必ずしも容易ではなく、過剰な力を必要とすることが少なくない。
【０００６】
本発明は上記事実に鑑みてなされたものであり、その主たる技術的課題は、飲料のために広く一般に使用されている容器に適用することができ、安価に製作することができ、そして更に過剰な力を必要とすることなく比較的容易に補助物質を容器に収容されている内容物に混入することができる、補助物質を収容した補助部材を含む新規且つ改良された容器蓋を提供することである。
【０００７】
【課題を解決するための手段】
本発明によれば、上記主たる技術的課題を達成することができる容器蓋として、容器の口頸部に装着される蓋本体と、該蓋本体に装着される中間部材と、該中間部材に装着される外蓋と、容器内に充填すべき補助物質を収容した補助容器とを具備し、
該蓋本体は天面壁と該天面壁の周縁から垂下するスカート壁とを含み、該天面壁には破断可能ラインが形成されており、
該中間部材は該蓋本体の該天面壁を越えて上方に延びる筒状壁と、破断可能な橋絡部を介して該筒状壁の内周面に接続され且つ該筒状壁内に位置せしめられている切断部材とを含み、
該外蓋は上面壁と該上面壁の周縁から垂下する筒状垂下壁と該上面壁の内面から垂下する垂下筒とを含み、該垂下壁の下部内周面を該中間部材の該筒状壁の外周面に被嵌することによって該外蓋が該中間部材に装着され、該垂下壁には周方向に延びる周方向破断可能ラインが形成されており、
該補助容器は該外蓋の該上面壁と該垂下筒とによって規定される空間内に収容され、下面の少なくとも一部は破断可能シール部材によって閉じられており、
該外蓋の該垂下壁に形成されている該周方向破断可能ラインを破断せしめて該垂下壁の該周方向可能破断ラインよりも下方の部分を除去すると、該中間部材に対して該外蓋を下降せしめることが許容され、
該中間部材に対して該外蓋を下降せしめると、該切断部材の上端が該補助部材の該破断可能シール部材に作用することによって該破断可能シール部材が破断され、
該中間部材に対して更に該外蓋を下降せしめると、該外蓋の該垂下筒が該中間部材に作用することによって該橋絡部が破断せしめられ、次いで該外蓋の下降に付随して該切断部材も下降せしめられ、該切断部材の下端が該蓋本体の該天面壁に形成されている該破断可能ラインに作用することによって該破断可能ラインが破断される、
ことを特徴とする容器蓋が提供される。
【０００８】
好ましくは、該中間部材の該筒状壁の外周面には上方を向いた外側環状肩面が形成されており、該外蓋の該垂下壁の下端が該外側環状肩面に当接せしめられ、そしてまた該中間部材の該筒状壁の内周面には下方を向いた内側環状肩面が形成されており、該内側環状肩面が該蓋本体の該天面壁の上面周縁部に当接せしめられている。該中間部材の該筒状壁は該蓋本体の該スカート壁の外周面に沿って延びる下部を有し、該下部の内周面には環状係合突条又は溝が形成されており、該スカート壁の外周面には該環状係合突条が係合せしめられる環状係合溝又は突条が形成されているのが望ましい。該外蓋の該垂下筒の内周面には拘束突条が形成されており、該補助容器は該拘束突条を弾性的に乗り越えて該拘束突条よりも上方の空間に収容されるのが好適である。該中間部材の該筒状壁の内周面上端部には係止突条が形成されており、該外蓋の該垂下筒の外周面下端部にも係止突条が形成されており、該外蓋の該係止突条は該中間部材の該係止突条を弾性的に乗り越えてその下方に位置せしめられているのが好都合である。好ましくは、該切断部材は軸線方向に延びる円筒形状切断部を有し、該切断部の上端及び下端は傾斜せしめられており、該切断部材は該橋絡部を介して該筒状壁の内周面に接続された環状部を有し、該切断部は該環状部内に配置されて該切断部と該環状部との間を放射状に延びる複数個の接続部によって該環状部に接続されている。該橋絡部は周方向に等間隔をおいて複数個配設することができる。該中間部材の該筒状壁の外周面と該外蓋の該垂下壁の内周面とには協働して該中間部材に対して該外蓋が回転するのを阻止する回り止め手段が配設されているのが好ましい。
【０００９】
【発明の実施の形態】
以下、本発明に従って構成された容器蓋の好適実施形態を図示している添付図面を参照して、更に詳細に説明する。
【００１０】
図１を参照して説明すると、本発明に従って構成された全体を番号２で示す容器蓋は、蓋本体４、中間部材６、外蓋８及び補助容器１０から構成されている。
【００１１】
図１と共に図２及び図３を参照して説明を続けると、ポリエチレン或いはポリプロピレンの如き適宜の合成樹脂から一体に形成することができる蓋本体４は、円形天面壁１２とこの天面壁１２の周縁から垂下する略円筒形状のスカート壁１４とを有する。スカート壁１４の外周面には下方に向かって半径方向外方に傾斜する円錐台形状部１６が形成されている。そして、この円錐台形状部１６の上方において、スカート壁１４の外周面には周方向に間隔をおいて軸線方向に延びる多数の滑り止め突条１８が形成されている。図２に明確に図示する如く、スカート壁１４の上端部には周方向に連続して延在する環状係合溝２０が形成されており、上記滑り止め突条１８は環状係合溝２０によって中断されている。円錐台形状部１６の直ぐ下方には周方向破断可能ライン２２が配設されており、スカート壁１４は周方向破断可能ライン２２よりも上方の主部２４と周方向破断可能ライン２２よりも下方のタンパーエビデント裾部２６とに区画されている。スカート壁１４の内周面には下方を向いた環状肩面２８が形成されており、かかる環状肩面２８から下方に延びる突条３０が周方向に適宜の間隔をおいて複数個形成されている。上記周方向破断可能ライン２２は、突条３０の軸線方向中間部において、スカート壁１４の外周面から切断刃（図示していない）を作用せしめて、突条３０の少なくとも一部を残留せしめてスカート壁１４を切断することによって形成されている。突条３０の各々の切断されることなく残留せしめられた部分が所謂橋絡部を構成し、タンパーエビデント裾部２６は複数個の橋絡部を介して主部２４に接続されている。
【００１２】
スカート壁１４の主部２４の内周面には雌螺条３２が形成されている。かかる雌螺条３２は、周方向に間隔をおいて軸線方向に延びる通気用切欠３４によって中断されている。タンパーエビデント裾部２６の内周面には係止手段３６が形成されている。図示の実施形態における係止手段３６は、周方向に間隔をおいて配設され半径方向内方に向かって上方に傾斜して延びる複数個の突出片３８から形成されている。
【００１３】
天面壁１２の内面における外周領域には内側円筒状シール片４０、外側円筒状シール片４２及び環状当接片４４が形成されている。内側円筒状シール片４０は天面壁１２の内面から下方に向かって幾分半径方向外方に傾斜して延出している。外側円筒状シール片４２は内側円筒状シール片４０から半径方向外方に所定距離離間せしめて配置されており、天面壁１２の内面から略鉛直に下方に延出せしめられている。環状当接片４４は内側円筒状シール片４０の直ぐ外側に位置せしめられており、天面壁１２の内面から下方に向かって凸状に膨出せしめられている。
【００１４】
天面壁１２の上面中央部には円形沈降部４６が配設されている。そして、この沈降部４６には、略３１５度の角度範囲に渡って延びる円弧部４８とかかる円弧部４８の両端から放射状に延びる直線部５０とから構成された主薄肉破断可能ラインが形成されている。沈降部４６には、更に、主薄肉破断可能ラインの円弧部４８から沈降部４６の周縁まで放射状に延びる６本の放射状薄肉破断可能ライン５２が形成され、そしてまた沈降部４６の周縁に沿って延び主薄肉破断可能ラインの直線部５０及び放射状薄肉破断可能ライン５２の外側端を接続している円形外側薄肉ライン５４が形成されている。
【００１５】
図１と共に図４及び図５を参照して説明すると、ポリエチレン或いはポリプロピレンの如き適宜の合成樹脂から一体に形成することができる中間部材６は、略円筒形状である筒状壁５６を有する。図示の実施形態における筒状壁５６はその上部に対してその下部が半径方向外方に変位されており、筒状壁５６の外周面には上方を向いた外側環状肩面５８が形成され、内周面には下方を向いた内側環状肩面６０が形成されている。筒状壁５６の外周面における外側環状肩面５８の直ぐ上方の領域には周方向に等間隔をおいて複数個、図示の場合は４個、の突起６２が形成されている。かかる突起６２は、後に更に言及する如く、外蓋８に形成されている対応する凹部と協働して回り止め手段を構成する。筒状壁５６の内周面上端部には周方向に連続して延びる環状係止突条６４が形成されている。また、筒状壁５６の内周面における内側環状肩面６０よりも幾分下方の領域（従って，筒状壁５６の下部の内周面）には、周方向に連続して延在する環状係合突条６６が形成されている。
【００１６】
中間部材６は切断部材６８も含んでいる。図示の実施形態における切断部材６８は軸線方向に延びる円筒形状であり、その上端及び下端は共に傾斜せしめられている。筒状壁５４の内周面に近接して環状部７０が配設されており、切断部材６８の外周面と環状部７０の内周面とは両者間を放射状に延びる４個の接続部７２によって接続されている。そして、環状部７０は周方向に等間隔をおいて配置された複数個（図示の場合は４個）の破断可能橋絡部７４を介して筒状壁５４の内周面に接続されている。
【００１７】
図１と共に図６を参照して説明を続けると、蓋本体４及び中間部材６と同様にポレエチレン或いはポリプロピレンの如き適宜の合成樹脂から一体に形成することができる外蓋８は、円形上面壁７６、上面壁７６の周縁から垂下する円筒状垂下壁７８、及び上面壁７６の内面から垂下する円筒形状の垂下筒８０を有する。垂下壁７８の軸線方向中間部には周方向に連続して延びる周方向破断可能ライン８２が形成されている。この周方向破断可能ライン８２は薄肉ラインから構成することができる。垂下壁７８の外周面下端部には接続片８４を介して把持片８６が接続されており、接続片８４に隣接する部位から周方向破断可能ライン８２まで延びる、薄肉ライン又はミシン目ラインでよい付加破断可能ライン（図示していない）も形成されている。垂下壁７８の内周面下端部には周方向に等間隔をおいて４個（図６にそのうちの２個のみを図示している）の凹部８８が形成されている。この凹部８８は、後に更に言及する如く、中間部材６に形成されている上記突起６２と協働して回り止め手段を構成する。垂下筒８０の垂下長さは垂下壁７８の垂下長さの略半分であり、その外周面下端部には周方向に連続して延在する係止突条９０が形成されている。また、垂下筒８０の内周面には周方向に連続して延びる拘束突条９２が形成されている。
【００１８】
図１を参照して説明すると、補助容器１０は倒立カップ形状の本体９４と破断可能シール部材９６とから構成されている。本体９４は適宜の合成樹脂から形成することができ、破断可能シール部材９６は合成樹脂フィルム及び／又は金属箔から形成することができる。本体９４の開口された下面の周囲には張出フランジが形成されており、かかる張出フランジに破断可能シール部材９６が貼着されて本体９４の開口が閉じられている。かような補助容器１０内には液状補助物質（図示していない）が収容されている。
【００１９】
図１には、本発明に従って構成された容器蓋２と共にこの容器蓋２が適用される容器の口頸部９８も図示されている。ポリエチレンテレフタレートの如き適宜の合成樹脂或いはガラスから形成することができる容器の口頸部９８は全体として円筒形状である。口頸部９８の外周面には雄螺条１００及びこの雄螺条１００の下方に位置する係止あご部１０２が形成されている。
【００２０】
容器内に内容物を充填した後に口頸部９８を密封する際には、最初に容器蓋２の蓋本体４のみを容器の口頸部９８に装着する。かかる装着は、口頸部９８に蓋本体４を被嵌して閉方向、即ち図１において上方から見て時計方向、に回転せしめられる。かくして、蓋本体４の雌螺条３２が口頸部９８の雄螺条１００に螺合せしめられ、蓋本体４は回転と共に口頸部９８に沿って下降せしめられる。タンパーエビデント裾部２６に形成されている係止手段３６は口頸部９８の係止あご部１０２を弾性的に乗り越えて係止あご部１０２に係止せしめられる。蓋本体４の天面壁１２の内面に形成されている内側円筒状シール片４０は口頸部９８内に進入して口頸部９８の内周面に密接せしめられ、外側円筒状シール片４２は口頸部９８の外周面上端部に密接せしめられ、環状当接片４４は口頸部９８の頂面に当接せしめられ、かくして口頸部９８が密封される。容器の口頸部９８に対する蓋本体４の上述したとおりの装着操作は、容器の口頸部９８に通常の合成樹脂製容器蓋を装着するための既存の装着システムをそのまま利用することができる。また、蓋本体４自体は通常の合成樹脂製容器蓋に近似した比較的簡潔な形状である故に、特に不都合を発生せしめることなく所謂アセプテック充填の場合には装着に先立って殺菌液で殺菌し、しかる後に洗浄液によって洗浄することができる。
【００２１】
容器の口頸部９６に蓋本体４を所要とおりに装着した後に、予め図１に図示するとおりに外蓋８及び補助容器１０が組み合わされた中間部材６を蓋本体４に装着する。更に詳述すると、補助容器１０は外蓋８の垂下筒８０と上面壁７６とによって規定される空間に収容される。図示の実施形態においては、倒立状態（即ち破断可能シール部材９６を下方に位置せしめた状態）にせしめられている補助容器１０の本体９４の張出フランジ及びこれに貼着された破断可能シール部材９６の外径は外蓋８の垂下筒８０の内周面に形成されている拘束突条９２の内径よりも若干大きく設定されており、補助容器１０は拘束突条９２を弾性的に乗り越えて上方に強制され、拘束突条９２の上方に収容される。そして、補助容器１０を収容した外蓋８が中間部材６に装着される。図１に明確に図示する如く、外蓋８の垂下壁７８の下半部は中間部材６の筒状壁５６の上半部に被嵌され、外蓋８の垂下筒８０の下端部は中間部材６の筒状壁５６内に挿入せしめられる。外蓋８の垂下壁７８の下端は、中間部材６の筒状壁５６の外周面に形成されている外側環状肩面５８に当接せしめられる。垂下壁７８の内周面下端部に形成されている複数個の凹部８８の各々が筒状壁５６の外周面に形成されている複数個の突起６２の各々に係合せしめられ、これによって中間部材６に対して外蓋８が回転することが阻止される。垂下筒８０の外周面下端に形成されている係止突条９０は筒状壁５６の内周面上端に形成されている係止突条６４を弾性的に乗り越えてその下方に位置せしめられる。中間部材６は、その筒状壁５６を蓋本体４のスカート壁１４に被嵌せしめて、蓋本体４に装着される。中間部材６の筒状壁５６の下部は蓋本体４のスカート壁１４に沿って延び、筒状壁５６の内周面に形成されている環状係合突条６６がスカート壁１４の外周面上部に形成されている環状係止溝２０に係合せしめられる。また、中間部材６の筒状壁５６の内周面に形成されている内側環状肩面６０が蓋本体４の天面壁１２の上面周縁部に当接せしめられる。図示の実施形態においては、筒状壁５６の内周面に環状係合突条６６を形成しスカート壁１４の外周面に環状係合溝２０を形成しているが、所望ならば、筒状壁５６の内周面に環状係合溝を形成しスカート壁１４の外周面に環状係合突条を形成することもできる。
【００２２】
所望ならば、容器の口頸部９８に蓋本体４を単独で装着した後に相互に組み合わされた中間部材６、外蓋８及び補助容器１０を蓋本体４に装着することに代えて、蓋本体４、中間部材６、外蓋８及び補助容器１０を図１に図示するとおりの状態に組み合わせ、しかる後に容器の口頸部９８に装着することもできる。
【００２３】
図１を参照して説明を続けると、容器内に収容されている内容物を消費する際には、外蓋８の垂下壁７８の外周面に付設されている把持片８６を把持して引っ張り、接続片８４に隣接する部位から周方向破断可能ライン８２まで延びる付加破断可能ライン（図示していない）を破断し、次いで周方向破断可能ライン８２を破断する。かくして、外蓋８の垂下壁７８の下半部を除去する（図１と共に図７を参照されたい）。しかる後に、外蓋８を押圧して図７に図示する位置まで下降せしめると、中間部材６の切断部材６８の上端が補助容器１０の破断可能シール部材９６に作用してこれを破断し、切断部材６８の上端部が補助容器１０内に進入する。また、外蓋８の垂下筒８０の下端が中間部材６の環状部７０の上面に当接せしめられる。外蓋８を更に下降せしめると、図７と図８とを比較参照することによって明確に理解される如く、外蓋８の垂下筒８０から加えられる力によって中間部材６の複数個の橋絡部７４が破断され、環状部７０、接続部７２及び切断部材６８が筒状壁５６から分離され、環状部７０，接続部７２及び切断部材６８は外蓋８と共に下降せしめられる。そして、図８に図示する如く、切断部材６８の下端が蓋本体４の天面壁１２の沈降部４６内に進入して主薄肉破断可能ラインの円弧部４８及び直線部５０に作用してこれを破断せしめる。そして、主薄肉破断可能ラインの円弧部４８及び直線部５０間の部分を下方に変位せしめる。この際には、複数個の放射状薄肉破断可能ライン５２の一部も破断されることが少なくない。かくして、補助容器１０内に収容されていた補助物質が切断部材６８及び破断可能シール部材９６の破断された部位並びに蓋本体４の天面壁１２における破断された部位を通して容器内に充填され、容器内の内容物に混入される。
【００２４】
補助容器１０内の補助物質を容器内の内容物に混入せしめるための上述したとおりの挙動において、破断可能シール部材９６の破断、橋絡部７４の破断及び主薄肉破断可能ラインの破断は同時ではなく順次に遂行され、それ故に過剰な力を必要とすることなく充分容易に遂行することができる。
【００２５】
上述したとおりにして補助容器１０内の補助物質を容器内の内容物に混入した後においては、中間部材６、外蓋８及び補助容器１０が装着されている蓋本体４を開方向、即ち図８において上方から見て反時計方向に回転せしめる。蓋本体４を開方向に回転せしめる際には、蓋本体４に直接指を掛けることなく中間部材６或いは外蓋８に指を掛けて開方向に回転せしめることができる。蓋本体４と中間部材６との相対的回転を防止するために、所望ならば中間部材６の筒状壁５６の下部内周面に蓋本体４のスカート壁１４の外周面に形成されている滑り止め突条１８に係合せしめられる複数個の溝（図示していない）を形成することができる。容器の口頸部９８に対して蓋本体４を開方向に回転せしめると、蓋本体４のタンパーエビデント裾部２６はその内周面に形成されている係止手段３６が口頸部９８の係止あご部１０２に係止されている故に上昇が阻止されるが、蓋本体４のその他の部分は口頸部９８の雄螺条１００と蓋本体４の雌螺条３２の螺条が解除されるに従って上昇せしめられる。従って、スカート壁１４に形成されている周方向破断可能ライン２２が破断され、タンパーエビエント裾部２６がスカート壁１４の主部２４から分離される。しかる後においては、タンパーエビデント裾部２６以外の部分は回転と共に自由に上昇せしめられて口頸部９８から離脱され、かくして口頸部９８が開封される。従って、開封された口頸部９８を通して、補助物資が混入された内容物を消費することができる。所望ならば、外蓋４から中間部材６、外蓋８及び補助容器１０を離脱せしめた後に、蓋本体４を口頸部９８から離脱せしめることもできる。
【００２６】
【発明の効果】
本発明の容器蓋は、飲料のために広く一般に使用されている容器に適用することができ、安価に製作することができ、そして更に過剰な力を必要とすることなく比較的容易に補助物質を容器に収容されている内容物に混入することができる。
【図面の簡単な説明】
【図１】本発明に従って構成された容器蓋の好適実施形態を示す断面図。
【図２】図１の容器蓋における蓋本体を一部を断面で示す正面図。
【図３】図１の容器蓋における蓋本体の平面図。
【図４】図１の容器蓋における中間部材を一部を断面で示す正面図。
【図５】図１の容器蓋の中間部材の底面図。
【図６】図１の容器蓋の外蓋を一部を断面で示す正面図。
【図７】図１の容器蓋を、補助容器内の補助物質を容器内に充填する際の中間状態で示す断面図。
【図８】図１の容器蓋を、補助容器内の補助物質を容器内に充填する際の最終状態で示す断面図。
【符号の説明】
２：容器蓋
４：蓋本体
６：中間部材
８：外蓋
１０：補助容器
１２：天面壁
１４：スカート壁
２０：環状係合溝
２２：周方向破断可能ライン
４８：主薄肉破断可能ラインの円弧部
５０：主薄肉破断可能ラインの直線部
５６：筒状壁
５８：外側環状肩面
６０：内側環状肩面
６２：突起（回り止め手段）
６４：係止突条
６６：係合突条
６８：切断部材
７０：環状部
７２：接続部
７４：橋絡部
７６：上面壁
７８：垂下壁
８０：垂下筒
８２：周方向破断可能ライン
８８：凹部（回り止め）
９０：係止突条
９２：拘束突条
９４：補助容器の本体
９６：破断可能シール部材
９８：容器の口頸部
【図１】
2004299760.tif 000003
【図２】
2004299760.tif 000004
【図３】
2004299760.tif 000005
【図４】
2004299760.tif 000006
【図５】
2004299760.tif 000007
【図６】
2004299760.tif 000008
【図７】
2004299760.tif 000009
【図８】
2004299760.tif 000010